(57)【要約】  【課題】  屋根・庇パネルの連結部からの雨水の侵入を防止できる形状の縦葺き屋根・庇構造を提供する。【解決手段】  屋根・庇パネルの左右両端に形成された接合部２ａ、２ｂ同士を連結し、この連結部３を覆うようにジョイントカバー４が両屋根・庇パネル１Ａ，１Ｂ間に差し渡す。屋根・庇パネル１Ａ，１Ｂには、接合部よりも内側に位置し、かつ底部が接合部よりも下方に位置する断面凹状の樋溝１４を形成し、この樋溝よりも接合部側にジョイントカバーを係止する第１の係合突条１５を上方に突出させ、これにより連結部への雨水の侵入を防止する堤として機能させる。また、樋溝１４のパネル本体１１側にも第２の係合突条１６を形成し、パネル本体側から樋溝１４に侵入しようとする雨水を堰き止める。【選択図】  図１
2009035876.tif 000002
【特許請求の範囲】
【請求項１】
屋根・庇パネルの左右両端に形成された接合部同士が連結され、該連結部を覆うようにジョイントカバーが両屋根・庇パネル間に差し渡され、前記屋根・庇パネルには、前記接合部よりも内側に位置し、かつ底部が接合部よりも下方に位置する断面凹状の樋溝が形成され、該樋溝よりも前記接合部側でジョイントカバーを係合する機能を有し、かつ前記連結部への雨水の侵入を防止する堤として機能する係合突条が形成され、前記ジョイントカバーの下面に前記係合突条を係合する係合凹部が形成されたことを特徴とする縦葺き屋根・庇構造。
【請求項２】
前記係合突条は、前記樋溝の左右両側に上方に突出するように形成され、前記係合凹部がジョイントカバーの下面の４箇所に前記係合突条に対応して形成されたことを特徴とする請求項１に記載の縦葺き屋根・庇構造。
【請求項３】
前記屋根・庇パネルの樋溝が仕切り壁を挟んで２列に形成され、２列の樋溝の左右方向の両側に前記係合突条が形成されたことを特徴とする請求項１又は２に記載の縦葺き屋根・庇構造。
【請求項４】
前記屋根・庇パネルの内側の係合突条とジョイントカバーの端部との係合姿勢で、前記係合突条とジョイントカバーの端部とで囲まれた空間が新たな樋溝として機能することを特徴とする請求項１〜３のいずれかに記載の縦葺き屋根・庇構造。
【請求項５】
屋根・庇パネルおよび／またはジョイントカバーがアルミ押出型材から構成されたことを特徴とする請求項１〜４のいずれかに記載の縦葺き屋根・庇構造。
【発明の詳細な説明】
【技術分野】
【０００１】
本発明は、縦葺き屋根・庇構造に関するものである。
【背景技術】
【０００２】
縦葺き屋根・庇構造において、特許文献１には、隣接する屋根材同士を屋根の内側に連結するために、連結枠と継手枠との２部材で連結する構成が開示され、連結枠には樋部を一体に形成し、樋部の両開口縁に係止部を形成し、この係止部に接合部を弾性係合することが開示されている。
【０００３】
特許文献２には、工場で下地材に本体を取り付けた屋根用パネルを製作し、それを施工現場に運んで屋根用構造物を設置してキャップで左右隣り合う屋根用パネル同士を接続する縦葺き屋根構造が開示されている。
【特許文献１】特開平０８−１２０８３９号公報
【特許文献２】特開２００１−２８８８５７号公報
【発明の開示】
【発明が解決しようとする課題】
【０００４】
しかしながら、特許文献１，２に記載する縦葺き屋根構造では、キャップの端部から雨水が浸入し、この雨水が樋溝から溢れて連結部に至る可能性もあり、完全な雨水侵入防止対策としては不十分であった。
【０００５】
本発明は、上記に鑑み、屋根・庇パネルの接合部からの雨水の侵入を防止できる形状の縦葺き屋根・庇パネルの提供を目的としている。
【課題を解決するための手段】
【０００６】
上記目的を達成するために、本発明に係る縦葺き屋根・庇構造では、屋根・庇パネルの左右両端に形成された接合部同士が連結され、該連結部を覆うようにジョイントカバーが両屋根・庇パネル間に差し渡され、前記屋根・庇パネルには、前記接合部よりも内側に位置し、かつ底部が接合部よりも下方に位置する断面凹状の樋溝が形成され、該樋溝よりも前記接合部側にジョイントカバーを係止する機能を有し、かつ前記連結部への雨水の侵入を防止する堤として機能する係合突条が形成され、前記ジョイントカバーの下面に前記係合突条を係合する係合凹部が形成されたことを特徴とする。
【０００７】
上記構成によれば、係合突条がジョイントカバーの位置決め固定機能を発揮すると共に、連結部への雨水の侵入を防止する堤として機能し、屋根・庇パネルの防水機能を高めることができる。
【０００８】
ここで、屋根・庇パネルは、屋根材としても、また庇材としても使用することができるパネルである。本発明は、この屋根・庇パネルを左右方向に隣接させて接合する縦葺き屋根・庇構造を前提とする。
【０００９】
この場合、係合突条は、連結部の左右両側に堤を形成するように設ければよいが、さらに、樋溝の左右両側に上方に突出するように形成し、係合凹部がジョイントカバーの下面の４箇所に係合突条に対応して形成するようにしてもよい。
【００１０】
上記構成によると、係合突条は４箇所形成され、そのうちの２箇所は、連結部の左右両側に形成されることになり、また、残りの２箇所は樋溝の外側２箇所に形成されて、樋溝への雨水の侵入を防ぐ役割を担う。そのため、雨水の連結部への侵入をより防止することができる。
【００１１】
また、樋溝は１列でもよいが、さらに、仕切り壁を挟んで２列に形成し、その２列の樋溝の左右両側に前記係合突条を形成してもよい。すなわち、各屋根・庇パネルにおいて、２列の樋溝とその左右両側に２列の係合突条を設けた構造であってもよい。
【００１２】
上記構成によると、樋溝が２列に形成されているので、侵入した雨水の排水性を向上させることができ、それよりも端部側に形成される連結部への雨水の侵入をより防止することができる。
【００１３】
さらに、屋根・庇パネルの内側の係合突条とジョイントカバーの端部との係合姿勢で、前記係合突条とジョイントカバーの端部とで囲まれた空間を新たな樋溝として機能させることができる。これにより、第３の樋溝を設けることができ、より雨水の排水性を向上させることができる。
【００１４】
さらに、本発明では、屋根・庇パネルおよび／またはジョイントカバーがアルミ押出型材から構成することができる。これにより、高機能性を持つ複雑な形状の係合突条や係合凹部の形成を容易に行うことができる。
【発明の効果】
【００１５】
本発明によれば、隣接する屋根・庇パネルの連結部を覆うジョイントカバーが設けられ、このジョイントカバーを係止し、かつ連結部への雨水の侵入を防止する堤として機能する係合突条が設けられているので、屋根・庇パネルの防水機能をより高めることができる。
【発明を実施するための最良の形態】
【００１６】
＜第１の実施形態＞
図１は本発明の第１の実施形態を示す屋根・庇構造を示す断面図である。本実施形態の屋根・庇構造は、屋根構造の場合、野地板などの内層下地材（図示略）の上側にアスファルトルーフィング、ルーフィングフェルト、あるいはゴムシートなどの防水シート（図示略）を貼り付け、その上側に、合板あるいはスタイロフォームなどの硬質断熱板からなる外層下地材（図示略）を載置し、その上側に屋根・庇パネル１Ａ，１Ｂを載置して支持する。また、庇構造の場合、屋根構造のような内層下地材や外層下地材が必ずしも必要なわけではなく、屋根・庇パネルのみであっても、十分強度を確保して設置することができる。
【００１７】
屋根・庇パネル１Ａ，１Ｂは、屋根材としても、また庇材としても使用することができるパネルである。この屋根・庇パネル１Ａ，１Ｂは、フラットな面から構成されるパネル本体１１と、パネル本体１１の左右両側で下方に向かって凹状に凹んで形成された断面コ字形の樋溝１４と、該樋溝１４よりも左右方向で外端側に形成された接合部２ａ、２ｂと、ジョイントカバー４を係止する複数の係合突条１５，１６とを備え、これらの構成要素がアルミ押出型材により一体的に押出成形される。
【００１８】
また、屋根・庇パネル１Ａ，１Ｂは、パネル本体１１が外層下地材（図示略）上に載置支持される。左右方向で隣り合う外層下地材間には空間を設け、この空間部に屋根・庇パネル１Ａ，１Ｂの樋溝１４および接合部２ａ，２ｂを配置する。
【００１９】
接合部２ａは、隣接する屋根・庇パネル１Ｂの接合部２ｂと互いに連結される。そして、この連結部３および樋溝１４を覆うようにジョイントカバー４が、両屋根・庇パネル１Ａ，１Ｂ間に差し渡される。一方の接合部２ａは、下方にＬ字形に折曲された断面形状とされる。他方の接合部２ｂは、一方の接合部２ａを囲むように断面上開放のコ字形に形成される。この接合部２ａ，２ｂの上下方向の位置はパネル本体１１と同じレベルでもよいし、それよりも下方位置であってもよい。但し、両接合部２ａ，２ｂは、雨水の侵入を防止するためには、前記樋溝１４の底部１４ａよりも上方に位置するのが望ましい。さらに、接合部２ａ，２ｂの両側部はフラットに形成し、フラットなジョイントカバー４と面接触するように形成し、雨水の侵入を防止するようにする。
【００２０】
さらに、第１の係合突条１５および第２の係合突条１６により雨水が接合部２ａ，２ｂに浸入するのを防止する。第１の係合突条１５および第２の係合突条１６は、断面円形に形成されてパネル本体１１の上面よりも上方に突出して形成され、パネル本体１１に降り注いだ雨水が連結部３側に流れるのを阻止する堤として機能すると共に、ジョイントカバー４の係合凹部１７を係止する機能を有する。
【００２１】
第１の係合突条１５は、前記樋溝１４の外側から上方に突出するように形成され、また、第２の係合突条１６は、樋溝１４の左右方向で内側から上方に突出するように形成される。したがって、パネル本体側に形成された第２の係合突条１６は、パネル本体１１から樋溝１４に流れる雨水の侵入を堰き止める機能を有する。また、接合部２ａ，２ｂ側に形成された第１の係合突条１５は、樋溝１４から溢れ出て連結部３側に流れる雨水の侵入を堰き止める機能を有する。
【００２２】
一方、ジョイントカバー４は、アルミ押出成形により、ほぼフラットな形状に形成される。ジョイントカバー４の下面には、前記係合突条１５，１６を係合する４条の係合凹部１７が断面Ｃ字形で下開放状態で形成される。本実施形態のジョイントカバー４は、１ｍｍ〜２ｍｍ程度のほぼ同一厚みの板材からなり、係合凹部１７に対応してカバー上面側には断面半円筒状の突条１８が形成される。突条１８は４条形成され、その突条１８間には３条の樋部１９が形成された形態となっている。
【００２３】
上記構成において、屋根・庇パネル１Ａ，１Ｂは接合部２ａ、２ｂを上下方向から重ね合わせ、次に、ジョイントカバー４をその係合凹部１７と係合突条１５，１６とを係合する。係合凹部１７と係合突条１５，１６の係合方法は、ジョイントカバー４を前後方向からスライドして差込み、連結部３を上方から覆うようにするか、または係合凹部１７の弾性を利用してジョイントカバー４を上下方向から無理嵌めする。
【００２４】
これにより、ジョイントカバー４は屋根・庇パネル１Ａ，１Ｂと位置決めされ、さらに、隣接する屋根・庇パネル同士はジョイントカバー４を介して位置決め固定される。
【００２５】
また、ジョイントカバー４によって樋溝１４が覆われる。そのため、ジョイントカバー４やパネル本体１１の上面に雨水が降り注いだとしても、まず、内側の係合突条１６により、雨水が樋溝１４に侵入するのを阻止する。
【００２６】
次いで、係合突条１６を越えて樋溝１４に雨水が流れ落ちたとしても、樋溝１４に沿って縦方向（前後方向）に流れて排水される。樋溝１４に流れ落ちる雨水量が多く、樋溝１４から溢れ出て連結部３側に流れようとしても、連結部側の係合突条１５により雨水の侵入を阻止する。従って、連結部３までも雨水が侵入しない。
【００２７】
最悪、連結部３に雨水が侵入したとしても断面コ字形の接合部２ｂが樋機能を発揮し、雨水を縦方向に排水するので、防水機能を十分高めることができる。
【００２８】
図２は第１の実施形態の変形例を示す屋根・庇構造を示す断面図である。この例ではジョイントカバー４の上面をフラットにしたもので、断面Ｃ字形の係合凹部１７を形成する部位はジョイントカバー４の下面に突出した状態で形成される。この場合も図１に示す屋根・庇構造と同様な作用効果を奏する。
【００２９】
なお、いずれの場合でも、屋根・庇パネルは、アルミ押出型材で成形されているので、熱反射機能により吸熱せず放熱性もよい。また、板を曲げて造る鋼材製（ロールフォーミング）の場合に比べて１／１０程度のイニシャルコストで成形することができる。
【００３０】
＜第２の実施形態＞
図３は第２の実施形態を示す屋根・庇構造を示す断面図である。この実施形態では、第１の実施形態に比べて、屋根・庇パネルの接合部２ａ，２ｂおよび樋溝１４全体をパネル本体１１に対して上方に位置させ、屋根・庇パネル自体も堤として機能させたものである。
【００３１】
すなわち、第１の実施形態では、屋根・庇パネル１Ａ，１Ｂの連結部３は、パネル本体１１と同じレベルまたはそれよりも低い位置に形成したが、本実施形態では、連結部３の位置をパネル本体１１よりも高い位置に設定し、これに合わせて樋溝１４の位置も全体に底上げした形態としている。そのため、パネル本体１１の端部には雨水侵入防止用の堤２０が形成され、該堤２０が樋溝１４の一部をなすようになっている。
【００３２】
堤２０の上端には係合突条１６が形成される。そして、ジョイントカバー４は、堤２０部分も覆うように下方に垂下する側片２１が形成され、全体として下開放のコ字形に形成される。その他の構成は上記第１の実施形態と同様であるので、その説明を省略する。
【００３３】
上記構成においては、屋根・庇パネル自体にも堤２０を形成しているので、雨水が樋溝１４に侵入するには堤２０を乗り越えなければならず、その分、雨水の侵入をより効果的に防止することができる。
【００３４】
図４は第２の実施形態の変形例を示す屋根・庇構造を示す断面図である。この例ではジョイントカバー４の上面をフラットにしたもので、断面Ｃ字形の係合凹部１７を形成する部位はジョイントカバー４の下面に突出した状態で形成される。この場合も図３に示す屋根・庇構造と同様な作用効果を奏する。
【００３５】
＜第３の実施形態＞
図５は第３の実施形態を示す屋根・庇構造を示す断面図である。この実施形態では、第１の実施形態に比べて樋溝１４の配列数を多くしたものである。すなわち、屋根・庇パネル１Ａ，１Ｂの樋溝１４が仕切り壁２２を挟んで２列に形成され、２列の樋溝１４、１４の左右方向の両側に第１の係合突条１５と第２の係合突条１６とが形成されている。そして、仕切り壁２２の上端がジョイントカバー４の下面と接触してシールドされる。
【００３６】
連結部３側の第２の樋溝１４は、パネル本体１１側の第１の樋溝１４よりも深く形成され、その断面積を大きく採ることにより、第２の樋溝１４から雨水が溢れ出るのを防止し、雨水が連結部３側に流れないように設定されている。
【００３７】
係合突条１５，１６は、互いに内向きとなる断面Ｃ字形のフック形状とされ、係合凹部１７はこのフック形の係合突条１５、１６を夫々囲む下開放型の断面形状とされている。
【００３８】
ジョイントカバー４は、第１の実施形態と同様に、係合凹部１７を形成する部位が上面側に突出している以外はほぼフラットな形状に形成される。係合凹部１７に対応してカバー上面側には断面半角筒状の突条１８が形成され、４条の突条１８間でも３条の樋部１９が形成された形態となっている。
【００３９】
上記構成において、樋溝１４が２列に形成されているので、侵入した雨水の排水性を向上させることができ、それよりも端部側に形成される連結部３への雨水の侵入をより効果的に防止することができる。
【００４０】
図６は第３の実施形態の変形例を示す屋根・庇構造を示す断面図である。この例ではジョイントカバー４の上面をフラットにしたもので、断面Ｃ字形の係合凹部１７を形成する部位はジョイントカバー４の下面に突出した状態で形成される。この場合も図５に示す屋根・庇構造と同様な作用効果を奏する。
【００４１】
＜第４の実施形態＞
図７は第４の実施形態を示す屋根・庇構造を示す断面図である。この実施形態では、第３の実施形態に比べて樋溝１４の配列数をさらに多くしたものである。すなわち、屋根・庇パネル１Ａ，１Ｂの内側の第２の係合突条１６とジョイントカバー４の端部の係合凹部１７との係合姿勢で、前記第２の係合突条１６とジョイントカバー４の端部の係合凹部１７とで囲まれた空間が新たな樋溝２３として機能させている。
【００４２】
すなわち、内側の第２の係合突条１６は、左右方向で外向きの断面Ｃ字形のフック形状とされ、この第２の係合突条１６を外側から抱き込むように断面Ｃ字形の係合凹部１７が形成される。係合凹部１７を形成するジョイントカバー４のカバー端部片２４は、フラットなパネル本体１１の上面に接圧し、その内部空間２３に侵入した雨水が前後方向（縦方向）に流れるよう樋機能を発揮している。
【００４３】
また、外側の第１の係合突条１５は、断面ト字形に形成され、その水平部がジョイントカバー４の係合凹部１７の側壁面に接触して左右方向の位置決めがなされている。その他の構成は図５に示す第３の実施形態と同様である。
【００４４】
上記構成においては、屋根・庇パネル１Ａ，１Ｂの内側に位置する第２の係合突条１６とジョイントカバー４の係合凹部１７との係合姿勢で、第２の係合突条１６とジョイントカバーの係合凹部１７とで囲まれた空間２３を新たな樋溝として機能させているので、パネル本体１１から第３の樋溝２３に侵入した雨水を排水することができ、排水性をより向上させることができる。したがって、その分、連結部３に到達する雨水量が少なくなり、漏水を防止することができる。
【００４５】
図８は第４の実施形態の変形例を示す屋根・庇構造を示す断面図である。この例ではジョイントカバー４の上面をフラットにしたもので、断面Ｃ字形の係合凹部１７を形成する部位はジョイントカバー４の下面に突出した状態で形成される。この場合も図７に示す屋根・庇構造と同様な作用効果を奏する。
【００４６】
＜第５の実施形態＞
図９は第５の実施形態を示す屋根・庇構造を示す断面図である。この実施形態は、第１の実施形態に比べて係合突条の配列数を削減した例である。すなわち、本実施形態では、パネル本体側の第２の係合突条１６を廃止し、ジョイントカバー４はほぼフラットに形成され、その左右両端部が樋溝１４の周壁に形成された段部に載置され、屋根・庇全体としてフラットな形態となっている。
【００４７】
そして、ジョイントカバー４は、その下面に形成された係合凹部１７が、連結部３側に形成された係合突条１５に係合することにより位置決めされ、かつ、係合突条１５が堤として機能して、連結部３への雨水の侵入を防止している。
【００４８】
この場合でも、係合突条１５よりもパネル本体１１側に樋溝１４が設けられているので、たとえジョイントカバー４の端部から雨水が侵入したとしても樋溝１４により雨水を排水することができる。また、雨量が多く樋溝１４から溢れ出た水も係合突条１５により堰き止められ、連結部３への侵入を阻止することができる。
【００４９】
なお、本発明は、上記実施形態に限定されるものではなく、本発明の範囲内で多くの修正および変更を加えることができるのは勿論である。例えば、係合突条１５、１６の断面形状およびこれに係合する係合凹部の形状は上記実施形態の形状に限定されるものではない。
【００５０】
図１０に係合突条および係合凹部の他の断面形状を示す。同図（ａ）は断面つくし形の係合突条１５とこれを囲む断面Ｕ字形の係合凹部１７とを備えた例である。同図（ｂ）は断面矢じり形の係合突条１５とこれを囲む断面三角形の係合凹部１７とを備えた例である。同図（ｃ）は断面Ｔ字形の係合突条１５とこれを囲む断面矩形の係合凹部１７とを備えた例である。同図（ｄ）は断面上開放Ｃ字形の係合突条１５とこれを囲む断面Ｕ字形の係合凹部１７とを備えた例である。上記のように、係合突条と係合凹部とは、ジョイントカバーの位置決め固定機能を発揮すればよく、さらに、係合突条は、雨水の侵入を堰き止める堤機能を発揮する形状であれば、特に、限定されるものではない。
【図面の簡単な説明】
【００５１】
【図１】本発明の第１の実施形態を示す屋根・庇構造を示す断面図
【図２】第１の実施形態の変形例を示す屋根・庇構造を示す断面図
【図３】第２の実施形態を示す屋根・庇構造を示す断面図
【図４】第２の実施形態の変形例を示す屋根・庇構造を示す断面図
【図５】第３の実施形態を示す屋根・庇構造を示す断面図
【図６】第３の実施形態の変形例を示す屋根・庇構造を示す断面図
【図７】第４の実施形態を示す屋根・庇構造を示す断面図
【図８】第４の実施形態の変形例を示す屋根・庇構造を示す断面図
【図９】第５の実施形態を示す屋根・庇構造を示す断面図
【図１０】係合突条の他の形態を示す断面図
【符号の説明】
【００５２】
１Ａ，１Ｂ    屋根・庇パネル
２ａ、２ｂ    接合部
３    連結部
４    ジョイントカバー
１１    パネル本体
１４    樋溝
１５    第１の係合突条
１６    第２の係合突条
１７    係合凹部
１８    突条
１９    樋溝
２２    堤
２３    第３の樋溝
【図１】
2009035876.tif 000003
【図２】
2009035876.tif 000004
【図３】
2009035876.tif 000005
【図４】
2009035876.tif 000006
【図５】
2009035876.tif 000007
【図６】
2009035876.tif 000008
【図７】
2009035876.tif 000009
【図８】
2009035876.tif 000010
【図９】
2009035876.tif 000011
【図１０】
2009035876.tif 000012